(57)【特許請求の範囲】
【請求項１】
電子機器本体と、
前記電子機器本体の背面に設けられた挿入部と、
スタンド本体と、前記挿入部に対して着脱可能な構成とされ、前記電子機器本体の背面上における所定の方向に延在するツメ部とを有し、前記挿入部に前記ツメ部を挿入することで、所定の角度に傾斜させた状態で前記電子機器本体を支持するスタンドと、を備えた電子機器であって、
前記電子機器本体と対向する部分の前記ツメ部の第１の面は、前記電子機器本体の背面と接触しており、
前記ツメ部が配設される側の前記スタンド本体の第１の端部に、前記所定の方向に延在すると共に、前記電子機器本体の背面と接触する第１の支持部を設け、
前記スタンド本体と接続されていない側の前記第１の支持部の端部に、前記所定の方向に対して前記ツメ部よりも突出すると共に、前記電子機器本体の背面と接触する第２の支持部と、前記ツメ部とを設けたことを特徴とする電子機器。
【請求項２】
前記第１の端部とは反対側に位置する前記スタンド本体の第２の端部、及び前記電子機器本体の下端部は、同一平面上に載置されており、
前記所定の方向は、前記スタンドにより支持された前記電子機器本体の背面の下端から前記スタンドにより支持された前記電子機器本体の背面の上端に向かう方向であることを特徴とする請求項１記載の電子機器。
【請求項３】
前記挿入部は、前記ツメ部の側面と、少なくとも前記第１の面とは反対側に位置する前記ツメ部の第２の面の一部とを覆うことを特徴とする請求項１または２記載の電子機器。
【請求項４】
前記挿入部は、挿入部本体と、前記ツメ部が挿入され、前記電子機器本体の背面を露出する開口部とを有し、
前記開口部の形状をおねじの頭を挿入可能な形状にすると共に、
前記開口部と対向する部分の前記挿入部本体に、前記第１の方向に対して前記おねじの軸をスライド可能な貫通溝を設けたことを特徴とする請求項１ないし３のうち、いずれか１項記載の電子機器。
【請求項５】
前記ツメ部は、前記所定の方向に対して直交する方向に離間した状態で２つ設けられており、
前記第２の支持部を２つの前記ツメ部よりも内側に配置したことを特徴とする請求項１ないし４のうち、いずれか１項記載の電子機器。
【発明の詳細な説明】
【技術分野】
【０００１】
本発明は、電子機器本体と、電子機器本体に対して着脱可能な構成とされたスタンドとを備えた電子機器に関し、特に、スタンドにより、電子機器本体の背面と電子機器本体が載置される電子機器載置面とが成す角度が所定の角度となるように電子機器本体を支持する電子機器に関する。
【背景技術】
【０００２】
図１５は、従来の電子機器を示す斜視図であり、図１６は、図１５に示す電子機器の側面図である。
【０００３】
図１５及び図１６を参照するに、従来の電子機器２００は、電子機器本体２０１と、電子機器本体２０１に対して着脱可能な構成とされたスタンド２０２とを有する。電子機器本体２０１は、その背面２０１Ａ側に設けられた楔状の一対の凹部２０６と、凹部２０６の略半分を覆うように突出した抜け止め部２０７とを有する。一対の凹部２０６は、後述するスタンド２０２に設けられた第２の折り曲げ部２１３を収容するためのものである。抜け止め部２０７は、スタンド２０２に設けられた第２の折り曲げ部２１３が凹部２０６から外れることを防止するためのものである。
【０００４】
スタンド２０２は、脚部２１１と、第１の折り曲げ部２１２と、第１の折り曲げ部２１２と一体的に構成された第２の折り曲げ部２１３とを有する。
【０００５】
脚部２１１は、電子機器本体２０１の下端部と共に、電子機器本体２０１が載置される電子機器載置面２０３（具体的には、例えば、床の上面やテーブルの上面等）に載置されることで、電子機器本体２０１の背面２０１Ａと電子機器載置面２０３とが成す角度θＡが所定の角度となるように、電子機器本体２０１を支持するためのものである。
【０００６】
第１の折り曲げ部２１２は、電子機器本体２０１の幅方向に延在すると共に、脚部２１１と一体的に構成されている。第１の折り曲げ部２１２は、脚部２１１と第２の折り曲げ部２１３とを接続するためのものである。
【０００７】
第２の折り曲げ部２１３は、凹部２０６の上部から凹部２０６の下部に向かう方向に延在する形状とされており、凹部２０６に収容されている。第２の折り曲げ部２１３は、凹部２０６に収容されることで、スタンド２０２を電子機器本体２０１に装着するためのものである。
【０００８】
上記構成とされたスタンド２０２は、図１６に示す電子機器本体２０１の下部に外力Ｋ１が印加された場合、脚部２１１の上端Ｊの位置よりも下方に配置された第２の折り曲げ部２１３により外力Ｋ１を受けることが可能となるため、電子機器本体２０１の背面２０１Ａと電子機器載置面２０３とが成す角度θＡを所定の角度にすることができる（例えば、特許文献１参照。）。
【特許文献１】特開平１０−３９７６８号公報
【発明の開示】
【発明が解決しようとする課題】
【０００９】
しかしながら、図１６に示す電子機器本体２０１の上部に外力Ｋ２が印加された場合、脚部２１１の上端Ｊの位置よりも上方には、外力Ｋ２を受ける部材が設けられていないため、電子機器本体２０１の背面２０１Ａと電子機器載置面２０３とが成す角度θＡを所定の角度にすることができないという問題があった。また、外力Ｋ２が大きい場合には、電子機器２００が倒れてしまうという虞があった。
【００１０】
そこで、本発明は上記の点に鑑みてなされたものであり、電子機器本体に外力が印加された場合でも電子機器本体の背面と電子機器載置面とが成す角度が所定の角度となるように、電子機器本体を支持することのできる電子機器を提供することを目的とする。
【課題を解決するための手段】
【００１１】
本発明の一観点によれば、電子機器本体（１１）と、前記電子機器本体（１１）の背面（１１Ａ）に設けられた挿入部（１３）と、スタンド本体（２１）と、前記挿入部（１３）に対して着脱可能な構成とされ、前記電子機器本体（１１）の背面（１１Ａ）上における所定の方向（Ａ）に延在するツメ部（２３）とを有し、前記挿入部（１３）に前記ツメ部（２３）を挿入することで、所定の角度に傾斜させた状態で前記電子機器本体（１１）を支持するスタンド（１２）と、を備えた電子機器（１０）であって、前記電子機器本体（１１）と対向する部分の前記ツメ部（２３）の第１の面（２３Ａ）は、前記電子機器本体（１１）の背面（１１Ａ）と接触しており、前記ツメ部（２３）が配設される側の前記スタンド本体（２１）の第１の端部に、前記所定の方向（Ａ）に延在すると共に、前記電子機器本体（１１）の背面（１１Ａ）と接触する第１の支持部（２２）を設け、前記スタンド本体（２１）と接続されていない側の前記第１の支持部（２２）の端部に、前記所定の方向（Ａ）に対して、前記ツメ部（２３）よりも突出すると共に、前記電子機器本体（１１）の背面（１１Ａ）と接触する第２の支持部（２４）と前記ツメ部（２３）とを設けたことを特徴とする電子機器（１０）が提供される。
【００１２】
本発明によれば、電子機器本体（１１）の背面（１１Ａ）に設けられた挿入部（１３）に挿入されるツメ部（２３）が配設される側のスタンド本体（２１）の第１の端部に、電子機器本体（１１）の背面（１１Ａ）上における所定の方向（Ａ）に延在すると共に、電子機器本体（１１）の背面（１１Ａ）と接触する第１の支持部（２２）を設けると共に、スタンド本体（２１）と接続されていない側の第１の支持部（２２）の端部に、電子機器本体（１１）の背面（１１Ａ）上における所定の方向（Ａ）に対して、ツメ部（２３）よりも突出すると共に、電子機器本体（１１）の背面（１１Ａ）と接触する第２の支持部（２４）と、ツメ部（２３）とを設けることにより、電子機器本体（１１）の上部に外力が印加された際、支点となるツメ部（２３）の斜め上方に配置された第２の支持部（２４）により、電子機器本体（１１）の上部に印加された外力を受けることが可能になると共に、電子機器本体（１１）の下部に外力が印加された際、支点となるツメ部（２３）の斜め下方に配置された第１の支持部（２２）により、電子機器本体（１１）の下部に印加された外力を受けることが可能になる。これにより、電子機器本体（１１）に印加される外力に依存することなく、所定の角度に傾斜させた状態で電子機器本体（１１）を支持することができる。
【００１３】
尚、上記参照符号は、あくまでも参考であり、これによって、本願発明が図示の態様に限定されるものではない。
【発明の効果】
【００１４】
本発明は、電子機器本体に外力が印加された場合でも電子機器本体の背面と電子機器載置面とが成す角度が所定の角度となるように、電子機器本体を支持することができる。
【発明を実施するための最良の形態】
【００１５】
次に、図面に基づいて本発明の実施の形態を説明する。
【００１６】
（第１の実施の形態）
図１は、本発明の第１の実施の形態に係る電子機器の斜視図であり、図２は、図１に示す電子機器の側面図である。図２において、第１の実施の形態の電子機器１０と同一構成部分には同一符号を付す。
【００１７】
図１及び図２を参照するに、第１の実施の形態の電子機器１０は、電子機器本体１１と、スタンド１２と、２つの挿入部１３とを有する。
【００１８】
電子機器本体１１は、挿入部１３に装着されたスタンド１２により、電子機器本体１１の背面１１Ａと電子機器載置面１５（例えば、床の上面やテーブルの上面等）とが成す角度θ１が所定の角度（例えば、６０度）となるように支持されている。
【００１９】
電子機器本体１１は、情報をデジタル処理する機器や、映像・音声を電気的にアナログ処理する機器等である。電子機器本体１１としては、例えば、センサーを用いることができる。
【００２０】
図３は、本発明の第１の実施の形態に係る電子機器に設けられたスタンドの平面図であり、図４は、図３に示すスタンドの側面図である。図３及び図４において、第１の実施の形態の電子機器１０と同一構成部分には同一符号を付す。
【００２１】
図１〜図４を参照するに、スタンド１２は、スタンド本体２１と、第１の支持部２２と、ツメ部２３と、第２の支持部２４とを有する。
【００２２】
スタンド本体２１は、電子機器載置面１５と接触する端部２１Ａ（第２の端部）を有する。スタンド本体２１は、第１の支持部２２、ツメ部２３、及び第２の支持部２４を介して、所定の角度に傾斜させた状態で電子機器本体１１を支持するためのものである。
【００２３】
第１の支持部２２は、スタンド本体２１と一体的に構成されており、スタンド本体２１に対して折り曲げられた状態で端部２１Ａの反対側に位置するスタンド本体２１の端部（第１の端部）に設けられている。ツメ部２３が挿入部１３に挿入された状態（スタンド１２が電子機器本体１１に装着された状態）において、第１の支持部２２は、電子機器１１の背面１１Ａ上における所定の方向Ａ（以下、「所定の方向Ａ」とする）に延在している。ここでの所定の方向Ａとは、スタンド１２により支持された電子機器本体１１（図１及び図２に示す状態）の背面１１Ａの下端からスタンド１２により支持された電子機器本体１１の背面１１Ａの上端に向かう方向のことである。
【００２４】
スタンド１２が挿入部１３に装着された状態において、電子機器本体１１と対向する側の第１の支持部２２の面２２Ａ（図２参照）は、電子機器本体１１の背面１１Ａと接触する。第１の支持部２２の面２２Ａとスタンド本体２１の面２１Ｂ（電子機器本体１１の背面１１Ａと対向する側のスタンド本体２１の面）とが成す角度θ２は、例えば、１４０度とすることができる（図２参照）。
【００２５】
スタンド本体２１が設けられていない側の第１の支持部２２の端部には、２つのツメ部２３及び第２の支持部２４が設けられている。これにより、第１の支持部２２は、スタンド１２が電子機器本体１１に挿入された状態（図１及び図２参照）において、電子機器本体１１が外力Ｆ１，Ｆ２を受けた際の支点となるツメ部２３の斜め下方に配置されている。
【００２６】
このように、スタンド１２が挿入部１３に装着された状態（図１及び図２参照）において、電子機器本体１１が外力を受けた際の支点となるツメ部２３の斜め下方に、スタンド本体２１と一体的に構成され、電子機器１１の背面１１Ａ上における所定の方向Ａに延在すると共に、電子機器本体１１の背面１１Ａと接触する第１の支持部２２を設けることにより、電子機器本体１１の下部に外力Ｆ１が印加された際、第１の支持部２２により、電子機器本体１１の下部に印加された外力Ｆ１を受けることが可能となる。これにより、電子機器本体１１の下部に外力Ｆ１が印加された場合、第１の支持部２２を備えたスタンド１２により、電子機器本体１１の背面１１Ａと電子機器載置面１５とが成す角度θ１が所定の角度となるように電子機器本体１１を支持することができる。
【００２７】
ツメ部２３は、第１の支持部２２と一体的に構成されており、スタンド本体２１が設けられていない側の第１の支持部２２の端部に２つ設けられている。ツメ部２３は、電子機器本体１１の背面１１Ａに設けられた挿入部１３に対して着脱可能な構成とされている。ツメ部２３は、挿入部１３に形成された後述する開口部２９（図５参照）に挿入されることで、スタンド本体２１を電子機器本体１１に装着するための部材である。２つのツメ部２３は、挿入部１３にスタンド１２が装着された状態（図１及び図２参照）において、所定の方向Ａに対して直交する方向に離間した状態で配置されている。２つのツメ部２３は、挿入部１３にスタンド１２が装着された状態（図１及び図２参照）において、所定の方向Ａに延在する形状とされている。ツメ部２３及び第１の支持部２２は、同一平面上に設けられている。ツメ部２３は、先端部がラウンド形状とされており、略均一な厚さを有する。ツメ部２３の厚さは、例えば、２ｍｍとすることができる。２つのツメ部２３は、挿入部１３に挿入された状態において、電子機器本体１１が外力Ｆ１，Ｆ２を受けた際、支点となる部材である。
【００２８】
図５は、図１に示す挿入部及びツメ部のＢ−Ｂ線方向の断面図である。図５において、第１の実施の形態の電子機器１０と同一構成部分には同一符号を付す。
【００２９】
図５を参照するに、開口部２９にツメ部２３が挿入された状態において、電子機器本体１１と対向する部分のツメ部２３の面２３Ａ（第１の面）は、電子機器本体１１の背面１１Ａと接触している。また、ツメ部２３が開口部２９に挿入された状態において、ツメ部２３の側面２３Ｂ及びツメ部２３の面２３Ｃ（面２３Ａの反対側に位置するツメ部２３の面）は、挿入部１３により覆われている。
【００３０】
第２の支持部２４は、第１の支持部２２と一体的に構成されており、スタンド本体２１が設けられていない側の第１の支持部２２の端部のうち、２つのツメ部２３の間に位置する部分の第１の支持部２２の端部に設けられている。挿入部１３にツメ部２３が挿入された状態（図１及び図２参照）において、第２の支持部２４は、所定の方向Ａに延在しており、所定の方向Ａに対してツメ部２３よりも突出している。これにより、第２の支持部２４の一部は、スタンド１２が挿入部１３に装着された状態（図１及び図２参照）において、電子機器本体１１が外力Ｆ１，Ｆ２を受けた際の支点となるツメ部２３の斜め上方に配置されている。
【００３１】
挿入部１３にツメ部２３が挿入された状態において、電子部品本体１１と対向する側の第２の支持部２４の面２４Ａは、電子部品本体１１の背面１１Ａと接触している。つまり、第１及び第２の支持部２２，２４とツメ部２３とは、同一平面上に配置されている。
【００３２】
このように、スタンド１２が挿入部１３に装着された状態（図１及び図２参照）において、電子機器本体１１が外力Ｆ１，Ｆ２を受けた際の支点となるツメ部２３の斜め上方に、第１の支持部２２と一体的に構成され、電子機器１１の背面１１Ａ上における所定の方向Ａに延在すると共に、電子機器本体１１の背面１１Ａと接触する第２の支持部２４を設けることにより、電子機器本体１１の上部に外力Ｆ２が印加された際、第２の支持部２４により、電子機器本体１１の上部に印加された外力Ｆ２を受けることが可能となる。これにより、電子機器本体１１の上部に外力Ｆ２が印加された場合、第２の支持部２４を備えたスタンド１２により、電子機器本体１１の背面１１Ａと電子機器載置面１５とが成す角度θ１が所定の角度となるように電子機器本体１１を支持することができる。
【００３３】
図５を参照するに、挿入部１３は、ツメ部２３を挿入することでスタンド１２を挿入部１３に装着するためのものであり、位置規制部２７と、カバー部２８と、開口部２９とを有する。位置規制部２７は、電子機器本体１１の背面１１Ａに設けられている。位置規制部２７は、ツメ部２３の側面２３Ｂと接触することで、電子機器本体１１の背面１１Ａ方向におけるツメ部２３の位置を規制するための部材である。カバー部２８は、ツメ部２３の面２３Ｃを覆うようにツメ部２３と接触する部材であり、位置規制部２７に設けられている。カバー部２８は、電子機器本体１１の背面１１Ａと直交する方向におけるツメ部２３の位置を規制するための部材である。
【００３４】
開口部２９は、位置規制部２７の内壁、カバー部２８の内壁、及び電子機器本体１１の背面１１Ａにより形成される空間である。開口部２９は、ツメ部２３が挿入される空間であり、ツメ部２３の形状に対応した形状とされている。
【００３５】
上記説明した挿入部１３には、電子機器本体１１の背面１１Ａの下部から電子機器本体１１の背面１１Ａの上部へ向かう方向にツメ部２３を挿入する。また、挿入部１３からツメ部２３を取り外す場合、電子機器本体１１の背面１１Ａの上部から電子機器本体１１の背面１１Ａの下部へ向かう方向にツメ部２３を移動させることで、挿入部１３からツメ部２３を取り外す。
【００３６】
本実施の形態の電子機器によれば、電子機器本体１１の背面１１Ａに設けられた挿入部１３に挿入されるツメ部２３が配置される側のスタンド本体２１の端部に、電子機器本体１１の背面１１Ａ上における所定の方向Ａに延在すると共に、電子機器本体１１の背面１１Ａと接触する第１の支持部２２を設けると共に、スタンド本体２１と接続されていない側の第１の支持部２２の端部に、所定の方向Ａに対してツメ部２３よりも突出すると共に、電子機器本体１１の背面１１Ａと接触する第２の支持部２４と、ツメ部２３とを設けることにより、電子機器本体１１の下部に外力Ｆ１が印加された際、支点となるツメ部２３の斜め下方に配置された第１の支持部２２により、電子機器本体１１の下部に印加された外力Ｆ１を受けることが可能になると共に、電子機器本体１１の上部に外力Ｆ２が印加された際、支点となるツメ部２３の斜め上方に配置された第２の支持部２４により、電子機器本体１１の上部に印加された外力Ｆ２を受けることが可能になる。これにより、電子機器本体１１に印加される外力Ｆ１，Ｆ２の影響を受けることなく、電子機器本体１１の背面１１Ａと電子機器載置面１５（例えば、床の上面やテーブルの上面等）とが成す角度θ１が所定の角度となるように、第１及び第２の支持部２２，２４を有したスタンド１２により、電子機器本体１１を支持することができる。
【００３７】
なお、本実施の形態では、電子機器本体１１の背面１１Ａの下部側から電子機器本体１１の背面１１Ａの上部側にツメ部２３を挿入可能な構成とされた挿入部１３を例に挙げて説明したが、図１及び図２に示す挿入部１３を、図１及び図２に示す電子機器本体１１の背面１１Ａに対して１８０度回転させた状態で電子機器本体１１の背面１１Ａに配置すると共に、図１及び図２に示すツメ部２３、第１の支持部２２、及び第２の支持部２４を１８０度回転させた状態で電子機器本体１１の背面１１Ａに配置し、このような状態で配置された第２の支持部２４にスタンド本体２１が接続されたスタンドを設けて、電子機器本体１１の背面１１Ａの上部側から挿入部１３にツメ部２３を挿入して、電子機器本体１１を支持してもよい。
【００３８】
図６は、他のスタンド及び挿入部の断面図である。
【００３９】
本実施の形態では、略均一な厚さを有したツメ部２３を有するスタンド１２と、ツメ部２３の外形に対応する形状とされた挿入部１３と、を電子機器１０に設けた場合を例に挙げて説明したが、上記説明したスタンド１２及び挿入部１３の代わりに、図６に示すスタンド３１及び挿入部３２を電子機器１０に設けてもよい。
【００４０】
ここで、図６を参照して、スタンド３１及び挿入部３２について説明する。スタンド３１は、先に説明したスタンド１２（図３及び図４参照）に設けられたツメ部２３の代わりにツメ部３５を設けた以外は、スタンド１２と同様に構成される。
【００４１】
ツメ部３５は、その先端部分に段差部３６を設けた以外はツメ部２３と同様に構成される。段差部３６は、ツメ部３５の先端部分の厚さを薄くすることで形成されている。段差部３６が形成されていない部分のツメ部３５の厚さが２ｍｍの場合、段差部３６の厚さは、例えば、１ｍｍとすることができる。
【００４２】
挿入部３２は、先に説明した挿入部１３に設けられた位置規制部２７の代わりに、段差部３６が挿入可能な位置規制部３８を設けると共に、ツメ部３５が挿入可能な開口部３９を設けた以外は位置規制部２７と同様に構成される。開口部３９は、位置規制部３８の内壁、カバー部２８の内壁、及び電子機器本体１１の背面１１Ａにより構成されている。段差部３６の面３６Ｂ（電子機器１１の背面１１Ａと接触する段差部３６の面３６Ａの反対側に位置する段差部３６の面）及び段差部３６の側面３６Ｃは、位置規制部３８により覆われている。
【００４３】
このように、段差部３６を有したツメ部３５を備えたスタンド３１と、ツメ部３５の外形に対応する形状とされた開口部３９を有する挿入部３２とを設け、開口部３９にツメ部３５を挿入することにより、挿入部３２にツメ部３５をしっかりと係止させることが可能となるため、電子機器本体１１に外力Ｆ１，Ｆ２が印加された際に挿入部３２からツメ部３５が外れることを防止できる。
【００４４】
図７は、本発明の第１の実施の形態の変形例に係る電子機器の側面図である。図７において、第１の実施の形態の電子機器１０と同一構成部分には同一符号を付す。
【００４５】
図７を参照するに、第１の実施の形態の変形例の電子機器４０は、第１の実施の形態の電子機器１０に設けられたスタンド１２の代わりにスタンド４１を設けた以外は、電子機器１０と同様に構成される。
【００４６】
スタンド４１は、スタンド１２に設けられた第１の支持部２２の代わりに第１の支持部４２を設けた以外はスタンド１２と同様に構成される。第１の支持部４２は、スタンド本体２１の面２１Ｂを電子機器本体１１の背面１１Ａまで延長したときに形成される面と電子機器本体１１の背面１１Ａとの交点よりも下方に位置する部分の電子機器本体１１の背面１１Ａに延在するように設けられている。
【００４７】
このように、スタンド本体２１の面２１Ｂを電子機器本体１１の背面１１Ａに延長したときに形成される面と電子機器本体１１の背面１１Ａとの交点よりも下方に位置する部分の電子機器本体１１の背面１１Ａに延在する第１の支持部４２を設けることにより、所定の方向Ａとは反対の方向に対して、第１の支持部４２の長さを長くすることが可能となる。これにより、電子機器本体１１の上部に大きな外力Ｆ２が印加された場合でも、第１の支持部４２により、電子機器本体１１の上部に印加された大きな外力Ｆ２を受けることが可能となるため、電子機器本体１１の背面１１Ａと電子機器載置面１５（例えば、床の上面やテーブルの上面等）とが成す角度θ１が所定の角度となるように、電子機器本体１１を支持することができる。
【００４８】
なお、本実施の形態の変形例の電子機器４０において、図７に示す挿入部１３を１８０度回転させた状態で電子機器本体１１の背面１１Ａに配置すると共に、図７に示すツメ部２３、第１の支持部４２、及び第２の支持部２４を１８０度回転させた状態で電子機器本体１１の背面１１Ａに配置し、１８０度回転させた状態で配置された第２の支持部２４にスタンド本体２１が接続されたスタンドを設けて、電子機器本体１１の上部側から挿入部１３にツメ部２３を挿入して、電子機器本体１１を支持してもよい。
【００４９】
また、本実施の形態の変形例の電子機器４０に設けられた挿入部１３及びツメ部２３の代わりに、図６に示す挿入部３２及びツメ部３５を設けてもよい。
【００５０】
さらに、スタンド本体２１を伸縮自在な構成（例えば、スライド機構）としてもよい。これにより、電子機器本体１１の背面１１Ａと電子機器載置面１５とが成す角度θ１を変えることが可能となる。
【００５１】
（第２の実施の形態）
図８は、本発明の第２の実施の形態に係る電子機器の斜視図であり、図９は、図８に示す電子機器の側面図である。図８において、第１の実施の形態の電子機器１０と同一構成部分には同一符号を付す。また、図９において、図２に示す構造体と同一構成部分には同一符号を付す。
【００５２】
図８及び図９を参照するに、第２の実施の形態の電子機器５０は、第１の実施の形態の電子機器１０に設けられたスタンド１２及び挿入部１３の代わりに、スタンド５１及び挿入部５２を設けた以外は電子機器１０と同様に構成される。
【００５３】
スタンド５１は、第１の実施の形態で説明したスタンド１２に設けられた２つのツメ部２３の代わりに、２つのツメ部５５を設けた以外はスタンド１２と同様に構成される。
【００５４】
図１０は、本発明の第２の実施の形態に係る電子機器に設けられたツメ部の斜視図であり、図１１は、図８に示す挿入部及びツメ部のＣ−Ｃ線方向の断面図である。図１０及び図１１において、第２の実施の形態の電子機器５０と同一構成部分には同一符号を付す。
【００５５】
図１０及び図１１を参照するに、ツメ部５５は、電子機器本体１１に設けられた挿入部５２に対して着脱可能な構成とされており、挿入部５２に挿入されることで、スタンド本体２１を電子機器本体１１に装着するための部材である。ツメ部５５は、ツメ部本体５７と、突出部５８とを有する。ツメ部本体５７、第１の支持部２２、及び第２の支持部２４は、同一平面上に設けられている。ツメ部本体５７は、挿入部５２にスタンド５１が装着された状態（図８参照）において、所定の方向Ａに延在する形状とされている。ツメ部本体５７は、先端部がラウンド形状とされており、略均一な厚さを有する。ツメ部本体５７の厚さは、例えば、１ｍｍとすることができる。
【００５６】
ツメ部５５を挿入部５２に挿入した際、ツメ部本体５７は、挿入部５２に形成された後述する開口部６２（ツメ部本体５７の外形に対応した形状とされた開口部）に挿入される。また、ツメ部５５が挿入部５２に挿入された状態において、電子機器本体１１の背面１１Ａと対向する部分のツメ部本体５７の面５７Ａは、電子機器本体１１の背面１１Ａと接触しており、ツメ部本体５７の面５７Ｂ（面５７Ａの反対側に位置するツメ部本体の面５７Ａ）及び側面５７Ｃは、挿入部５２を構成する後述する挿入部本体６１により覆われている。ツメ部本体５７は、電子機器本体１１が外力Ｆ１，Ｆ２を受けた際、支点となる部材である。
【００５７】
突出部５８は、ツメ部本体５７の面５７Ｂに設けられている。突出部５８は、ツメ部本体５７と一体的に構成されている。図１０に示す状態において、突出部５８は、ツメ部本体５７の面５７Ｂの上方に突出している。突出部５８は、挿入部５２に設けられた後述する貫通部６３（開口部６２と対向する部分の挿入部本体６１を貫通するように形成された貫通部）の形状に対応する形状とされている。突出部５８の高さ（厚さ）は、例えば、１ｍｍとすることができる。ツメ部５５を挿入部５２に挿入した際、突出部５８の側面５８Ａは、挿入部５２に形成された貫通部６３に挿入され、貫通部６３の側面構成する部分の挿入部本体６１と接触する。
【００５８】
このように、挿入部５２に形成された開口部６２に挿入されるツメ部本体５７と、ツメ部本体５７の面５７Bに設けられ、挿入部５２に形成された貫通部６２に挿入される突出部５８とを有するツメ部５５をスタンド５１に設けることにより、挿入部５２にツメ部５５をしっかりと係止させることが可能となるため、電子機器本体１１に外力Ｆ１，Ｆ２が印加された際に挿入部５２からツメ部５５が外れることを防止できる。
【００５９】
図１２は、本発明の第２の実施の形態に係る電子機器に設けられた挿入部の斜視図である。図１２において、図１１に示す構造体と同一構成部分には同一符号を付す。
【００６０】
図１１及び図１２を参照するに、挿入部５２は、挿入部本体６１と、挿入部本体６１に形成された開口部６２及び貫通部６３とを有する。
【００６１】
挿入部本体６１は、電子機器本体１１の背面１１Ａに設けられている。挿入部本体６１は、挿入部５２に挿入されたツメ部５５の位置を規制するための部材である。
【００６２】
開口部６２は、電子機器本体１１と対向する部分の挿入部本体６１に形成されている。開口部６２は、電子機器本体１１の背面１１Ａを露出するように形成されている。
【００６３】
図１３は、電子機器本体に設けられた挿入部におねじを挿入する際の挿入方法を模式的に示す図である。図１３において、第２の実施の形態の電子機器５０と同一構成部分には同一符号を付す。
【００６４】
開口部６２は、ツメ部本体５７の外形に対応する形状とされると共に、図１３に示す壁６８に取り付けられたおねじ７１の頭７２を挿入可能形状とされている。
【００６５】
貫通部６３は、開口部６２と対向する部分の挿入部本体６１を貫通するように形成されている。貫通部６３は、ツメ部５５に設けられた突出部５８の外形に対応する形状とされている。また、貫通部６３は、開口部６２に壁６８に取り付けられたおねじ７１の頭７２を収容させた状態で、頭７２よりも直径の小さいおねじ７１の軸７３を所定の方向Ａにスライドさせると共に、おねじ７１の軸７３をガイドする機能を有する。
【００６６】
図１４は、壁に掛けられた電子機器本体を模式的に示す図である。図１４において、図１３に示す構造体と同一構成部分には同一符号を付す。
【００６７】
このように、スタンド５１のツメ部５５が挿入される挿入部５２に、ツメ部本体５７の外形に対応する形状とされると共に、壁６８に取り付けられたおねじ７１の頭７２を挿入可能形状とされた開口部６２と、ツメ部５５に設けられた突出部５８の外形に対応する形状とされると共に、開口部６２に壁６８に取り付けられたおねじ７１の頭７２を収容させた状態で、おねじ７１の頭７２よりも直径の小さいおねじ７１の軸７３を所定の方向Ａにスライドさせる機能を有した貫通部６３とを設けることにより、スタンド５１を係止するための開口部６２及び貫通部６３を、電子機器本体１１を壁６８に掛ける際の壁掛け用の穴として流用することができる。
【００６８】
開口部６２及び貫通部６３を電子機器本体１１の壁６８に掛ける際の壁掛け用の穴として利用する場合、図１３に示すように、壁に６８に取付けられたおねじ７１の上方に電子機器本体１１を配置し、その後、電子機器本体１１を下方に移動させることで、おねじ７１の頭７２を開口部６２に収容させ、おねじ７１の軸７３が貫通部６３を通過させることで、電子機器本体１１を壁６８に掛ける。これにより、図１４に示すように、電子機器本体１１に壁掛け用の穴を設けることなく、電子機器本体１１を壁６８に掛けることができる。
【００６９】
本実施の形態の電子機器によれば、スタンド５１のツメ部５５が挿入される挿入部５２に、ツメ部本体５７の外形に対応する形状とされると共に、壁６８に取り付けられたおねじ７１の頭７２を挿入可能形状とされた開口部６２と、ツメ部５５に設けられた突出部５８の外形に対応する形状とされると共に、開口部６２に壁６８に取り付けられたおねじ７１の頭７２を収容させた状態で、おねじ７１の頭７２よりも直径の小さいおねじ７１の軸７３を所定の方向Ａにスライドさせる機能を有した貫通部６３とを設けることにより、電子機器本体１１を壁６８に掛けるための穴を電子機器本体１１に設けることなく、スタンド５１を係止するための開口部６２及び貫通部６３を流用して、電子機器本体１１を壁６８に掛けることができる。
【００７０】
また、本実施の形態の電子機器５０は、第１の実施の形態の電子機器１０と同様な効果を得ることができる。具体的には、電子機器本体１１に外力が印加された場合でも電子機器本体１１の背面１１Ａと電子機器載置面１５とが成す角度θ１が所定の角度となるように、スタンド５１により電子機器本体１１を支持することができる。
【００７１】
以上、本発明の好ましい実施の形態について詳述したが、本発明はかかる特定の実施の形態に限定されるものではなく、特許請求の範囲内に記載された本発明の要旨の範囲内において、種々の変形・変更が可能である。
【産業上の利用可能性】
【００７２】
本発明は、電子機器本体と、電子機器本体に対して着脱可能な構成とされたスタンドとを備え、電子機器本体の背面と電子機器載置面とが成す角度が所定の角度となるように、スタンドにより電子機器本体を支持する電子機器に適用可能である。
【図面の簡単な説明】
【００７３】
【図１】本発明の第１の実施の形態に係る電子機器の斜視図である。
【図２】図１に示す電子機器の側面図である。
【図３】本発明の第１の実施の形態に係る電子機器に設けられたスタンドの平面図である。
【図４】図３に示すスタンドの側面図である。
【図５】図１に示す挿入部及びツメ部のＢ−Ｂ線方向の断面図である。
【図６】他のスタンド及び挿入部の断面図である。
【図７】本発明の第１の実施の形態の変形例に係る電子機器の側面図である。
【図８】本発明の第２の実施の形態に係る電子機器の斜視図である。
【図９】図８に示す電子機器の側面図である。
【図１０】本発明の第２の実施の形態に係る電子機器に設けられたツメ部の斜視図である。
【図１１】図８に示す挿入部及びツメ部のＣ−Ｃ線方向の断面図である。
【図１２】本発明の第２の実施の形態に係る電子機器に設けられた挿入部の斜視図である。
【図１３】電子機器本体に設けられた挿入部におねじを挿入する際の挿入方法を模式的に示す図である。
【図１４】壁に掛けられた電子機器本体を模式的に示す図である。
【図１５】従来の電子機器を示す斜視図である。
【図１６】図１５に示す電子機器の側面図である。
【符号の説明】
【００７４】
１０，４０，５０  電子機器
１１  電子機器本体
１１Ａ  背面
１２，３１，４１，５１  スタンド
１３，３２，５２  挿入部
１５  電子機器載置面
２１  スタンド本体
２１Ａ  端部
２２，４２  第１の支持部
２３，３５，５５  ツメ部
２１Ｂ，２２Ａ，２３Ａ，２３Ｃ，２４Ａ，３６Ａ，３６Ｂ，４２Ａ，５７Ａ，５７Ｂ  面
２３Ｂ，３６Ｃ，５７Ｃ，５８Ａ  側面
２４  第２の支持部
２７，３８  位置規制部
２８  カバー部
２９，３９，６２  開口部
３６  段差部
５７  ツメ部本体
５８  突出部
６１  挿入部本体
６３  貫通部
６８  壁
７１  おねじ
７２  頭
７３  軸
Ａ  所定の方向
Ｆ１，Ｆ２  外力
θ１，θ２  角度
【図１】
0004952652.tif 000002
【図２】
0004952652.tif 000003
【図３】
0004952652.tif 000004
【図４】
0004952652.tif 000005
【図５】
0004952652.tif 000006
【図６】
0004952652.tif 000007
【図７】
0004952652.tif 000008
【図８】
0004952652.tif 000009
【図９】
0004952652.tif 000010
【図１０】
0004952652.tif 000011
【図１１】
0004952652.tif 000012
【図１２】
0004952652.tif 000013
【図１３】
0004952652.tif 000014
【図１４】
0004952652.tif 000015
【図１５】
0004952652.tif 000016
【図１６】
0004952652.tif 000017